(57)【特許請求の範囲】
【請求項１】
互いに対向する上下横枠と互いに対向する左右縦枠とにより囲われて形成された建物開口に装着するための横引き式のスクリーン装置であって、
上記上横枠上に取り付けるためのもので、下面上に長尺の上側ガイドレールがその長手方向に沿って設けられて成るガイド枠；上記下横枠上にその長手方向に沿って設けられる長尺の下側ガイドレール；上記左右縦枠間において、互いに平行に配置されると共に少なくとも一方が横方向にスライド可能に設けられる一対の框部材と、これら一対の框部材間に、該框部材のスライドにより拡張及び収縮可能に支持されたスクリーンと、スクリーンの収縮に伴って、框部材に開設された入出口から湾曲して該框部材の内部へと収容され、スクリーンの拡張に伴って、上記入出口から上記上側ガイドレール上及び下側ガイドレール上へと、拡張されたスクリーンの上下各端縁部に沿って直線的に導出される上下一対の長尺のスライド枠とを備えた装置本体；を備え、
上記一対のスライド枠がそれぞれ、上記スクリーンとは反対側に配置される面に、上記上側ガイドレール上及び下側ガイドレール上へと導出された際にこれら上下側各ガイドレールと摺動自在に係合する係合部を長手方向に沿って有し、
上記ガイド枠は、断面略コ字状の横固定枠と断面略コ字状の可動枠とにより構成されていて、上記横固定枠は、一対の対向する側壁の上端部が上壁により連結されて該側壁の下端側が開口し、上記上壁で上記上横枠上に固定され、上記可動枠は、一対の対向する側壁の下端部が上記下面を形成する下壁により連結されて該側壁の上端側が開口し、上記下壁に上記上側ガイドレールが形成され、上記横固定枠及び可動枠の何れか一方の枠の内部に他方の枠が嵌合されると共に、上記可動枠が横固定枠に対して上下方向に所定範囲で変位可能とされ、かつ、内部に位置する枠の少なくとも中央より下端側が外部に位置する枠の内部空間内に常に収容されている、
ことを特徴とするスクリーン装置。
【請求項２】
上記ガイド枠が、可動枠が横固定枠に対して所定範囲よりも下方へ変位するのを阻止するためのストッパ手段を備えている、ことを特徴とする請求項１に記載のスクリーン装置。
【請求項３】
上記ストッパ手段が、上記一方の枠における両側壁の外面からそれぞれ突設された係合突片と、上記他方の枠における両側壁の内面からそれぞれ突設されたストッパ突片とにより構成されていて、可動枠が、上記所定範囲の下端において、これら係合突片とストッパ突片との係合により下方への変位を阻止されるようになっており、
上記ガイド枠が、上記所定範囲において可動枠を下方に向けて弾発する弾性支持部材を有している、ことを特徴とする請求項２に記載のスクリーン装置。
【請求項４】
上記一方の枠が可動枠で、上記他方の枠が横固定枠であり、該可動枠が変位可能な上記所定範囲において、該可動枠全体が該横固定枠の内部空間内に常に収容されている、ことを特徴とする請求項１〜３の何れかに記載のスクリーン装置。
【請求項５】
スライド可能な框部材の上端部が、可動枠の上記所定範囲における位置に関わらず、上記横固定枠の下端からその内部空間内に常に収容されていて、該横固定枠の一対の側壁により支持されている、ことを特徴とする請求項４に記載のスクリーン装置。
【請求項６】
上記一方の枠が横固定枠で、上記他方の枠が可動枠であり、該可動枠が変位可能な上記所定範囲において、該横固定枠の上下方向の少なくとも中央よりも下端側が、該可動枠の内部空間内に常に収容されている、ことを特徴とする請求項１〜３の何れかに記載のスクリーン装置。
【請求項７】
上記一対のスライド枠がそれぞれ、複数のガイド駒を互いに隣接するガイド駒間において屈曲可能に連結することにより湾曲可能に形成されていて、上記スクリーン側に配置される面に、上記上側ガイドレール上及び下側ガイドレール上へと導出された際、上記スクリーンの上下各端縁部をその両面側から支持するガイド部を長手方向に沿って有している、
ことを特徴とする請求項１〜６の何れかに記載のスクリーン装置。
【請求項８】
上記一対の框部材が、左右縦枠のうち何れか一方に固定される固定框部材と横方向にスライド可能に設けられる可動框部材とから成り、該固定框部材の上下端部に上記入出口がそれぞれ開設されていて、上記一対のスライド枠の一端がそれぞれ可動框部材の上下端部に固定されると共に、それらの他端がそれぞれ上記各入出口を通じて固定框部材の内部に往復動自在に配置されている、ことを特徴とする請求項１〜７の何れかに記載のスクリーン装置。
【請求項９】
上記スクリーンの左右の一端が上記固定框部材に取り付けられていると共に、その他端が上記可動框部材内に回動可能に支持されたスクリーンの巻取り軸に取り付けられている、ことを特徴とする請求項８に記載のスクリーン装置。
【請求項１０】
上記上側ガイドレールが、上記可動枠の下面における幅方向の略中央に配置されている、ことを特徴とする請求項１〜９の何れかに記載のスクリーン装置。
【発明の詳細な説明】
【技術分野】
【０００１】
本発明は、防塵、遮光、断熱、防虫等を目的として、建物開口に装着するための横引き式のスクリーン装置に関するものである。
【背景技術】
【０００２】
建物開口において、互いに平行を成す一対の框部材間に防虫ネット等から成るプリーツ状または巻取り式のスクリーンを保持させ、これら一対の框部材のうち少なくとも一方を横方向にスライド可能とすることにより、上記スクリーンを拡張及び収縮させて上記建物開口を開閉することができるように構成した横引き式のスクリーン装置は既に知られており、また、このようなスクリーン装置において、バリアフリーを達成するため、その上下の枠部材に代えて長尺かつ湾曲可能に形成された一対のスライド枠を設け、該一対のスライド枠が、スクリーンの拡縮に伴って、スクリーンの上下各端縁部と框部材の内部との間で出没するように構成したものも、特許文献１等において既に公知である。
【０００３】
ところで、このような上下一対のスライド枠を備えた従来のスクリーン装置において、開閉時における良好な操作性を確保するには、これら一対のスライド枠を上記スクリーンの上下各端縁部と上記框部材の内部との間でスムーズに出没動作させる必要性がある。
そのためには、例えば、図７及び図８に示すスクリーン装置５０のように、建物開口６０の上横枠６１及び下横枠６２にそれぞれ上側ガイドレール５１及び下側ガイドレール５２を設けることにより、湾曲可能な一対のスライド枠５３，５４が、框部材５５の内部から導出された際に、それぞれ上記各ガイドレール５１，５２に対して摺動自在に係合してガイドされるように構成し、さらに、建物開口６０による高さの違いに適応させるため、断面略コ字状の固定枠５６を下方に開口させて上横枠６１に固定すると共に、上記上側ガイドレール５１が下面に設けられた可動枠５７を該固定枠５６に対して上下方向に変位可能に収容することが考えられる。
【０００４】
ところが、この例の場合、スクリーン装置５０を建物開口６０に装着した際に、図のように、上記固定枠５６の下端開口から可動枠５７の下端部が突出している状態となって、スクリーン装置５０を正面から見たときに、固定枠５６と可動枠５７との間に形成された段差が目に付きやすいため、意匠的に改善の余地が残されている。また、このような固定枠５６の下端開口から可動枠５７の下端部が突出している構造では、強い風で煽られたりしてスクリーン５８に強い力が加えられる等した際に、これら固定枠５６や可動枠５７に無理な力が作用して変形や損傷等が生ずる虞があるため、構造的にも改善の余地が残されている。
【特許文献１】特開２００１−７３６５５号公報
【発明の開示】
【発明が解決しようとする課題】
【０００５】
本発明の課題は、スクリーンの拡縮に伴ってスクリーンの上下各端縁部と框部材の内部との間で出没する上下一対のスライド枠を備えたスクリーン装置において、意匠性に優れ、しかも構造的にも強固なものを提供することにある。
【課題を解決するための手段】
【０００６】
上記課題を解決するために、本発明に係るスクリーン装置は、互いに対向する上下横枠と互いに対向する左右縦枠とにより囲われて形成された建物開口に装着するための横引き式のスクリーン装置であって、上記上横枠上に取り付けるためのもので、下面上に長尺の上側ガイドレールがその長手方向に沿って設けられて成るガイド枠；上記下横枠上にその長手方向に沿って設けられる長尺の下側ガイドレール；上記左右縦枠間において、互いに平行に配置されると共に少なくとも一方が横方向にスライド可能に設けられる一対の框部材と、これら一対の框部材間に、該框部材のスライドにより拡張及び収縮可能に支持されたスクリーンと、スクリーンの収縮に伴って、框部材に開設された入出口から湾曲して該框部材の内部へと収容され、スクリーンの拡張に伴って、上記入出口から上記上側ガイドレール上及び下側ガイドレール上へと、拡張されたスクリーンの上下各端縁部に沿って直線的に導出される上下一対の長尺のスライド枠とを備えた装置本体；を備え、上記一対のスライド枠がそれぞれ、上記スクリーンとは反対側に配置される面に、上記上側ガイドレール上及び下側ガイドレール上へと導出された際にこれら上下側各ガイドレールと摺動自在に係合する係合部を長手方向に沿って有し、上記ガイド枠は、断面略コ字状の横固定枠と断面略コ字状の可動枠とにより構成されていて、上記横固定枠は、一対の対向する側壁の上端部が上壁により連結されて該側壁の下端側が開口し、上記上壁で上記上横枠上に固定され、上記可動枠は、一対の対向する側壁の下端部が上記下面を形成する下壁により連結されて該側壁の上端側が開口し、上記下壁に上記上側ガイドレールが形成され、上記横固定枠及び可動枠の何れか一方の枠の内部に他方の枠が嵌合されると共に、上記可動枠が横固定枠に対して上下方向に所定範囲で変位可能とされ、かつ、内部に位置する枠の少なくとも中央より下端側が外部に位置する枠の内部空間内に常に収容されていることを特徴としている。
【０００７】
上記スクリーン装置においては、上記ガイド枠が、可動枠が横固定枠に対して所定範囲よりも下方へ変位するのを阻止するためのストッパ手段を備えている。
具体的には、上記ストッパ手段は、上記一方の枠における両側壁の外面からそれぞれ突設された係合突片と、上記他方の枠における両側壁の内面からそれぞれ突設されたストッパ突片とにより構成されていて、可動枠が、上記所定範囲の下端において、これら係合突片とストッパ突片との係合により下方への変位を阻止されるようになっており、上記ガイド枠が、上記所定範囲において可動枠を下方に向けて弾発する弾性支持部材を有している。
【０００８】
このとき、上記一方の枠が可動枠で、上記他方の枠が横固定枠であり、該可動枠が変位可能な上記所定範囲において、該可動枠全体が該横固定枠の内部空間内に常に収容されていても良く、また、上記一方の枠が横固定枠で、上記他方の枠が可動枠であり、該可動枠が変位可能な上記所定範囲において、該横固定枠の上下方向の少なくとも中央よりも下端側が、該可動枠の内部空間内に常に収容されていても良い。
なお、前者の場合、スライド可能な框部材の上端部が、可動枠の上記所定範囲における位置に関わらず、上記横固定枠の下端からその内部空間内に常に収容されていて、該横固定枠の一対の側壁により支持されていると、スライド可能な框部材の操作性がより向上して望ましい。
【０００９】
また、上記スクリーン装置の一実施形態においては、上記一対のスライド枠がそれぞれ、複数のガイド駒を互いに隣接するガイド駒間において屈曲可能に連結することにより湾曲可能に形成されていて、上記スクリーン側に配置される面に、上記上側ガイドレール上及び下側ガイドレール上へと導出された際、上記スクリーンの上下各端縁部をその両面側から支持するガイド部を長手方向に沿って有している。
そして、上記一対の框部材が、左右縦枠のうち何れか一方に固定される固定框部材と横方向にスライド可能に設けられる可動框部材とから成り、該固定框部材の上下端部に上記入出口がそれぞれ開設されていて、上記一対のスライド枠の一端がそれぞれ可動框部材の上下端部に固定されると共に、それらの他端がそれぞれ上記各入出口を通じて固定框部材の内部に往復動自在に配置されている。
さらに、上記スクリーンの左右の一端が上記固定框部材に取り付けられていると共に、その他端が上記可動框部材内に回動可能に支持されたスクリーンの巻取り軸に取り付けられており、上記上側ガイドレールが、上記可動枠の下面における幅方向の略中央に配置されている。
【発明の効果】
【００１０】
このように、本発明に係るスクリーン装置によれば、下面上に上側ガイドレールを有し建物開口の上横枠上に取り付けられるガイド枠が、一対の対向する側壁及びそれらの上端部を連結する上壁を備え、下端を開口させて上記上横枠上に固定される断面略コ字状の横固定枠と、一対の対向する側壁及びそれらの下端部を連結して上記下面を形成する下壁を備え、上端を開口させて上記横固定枠に対し上下方向の所定範囲で変位可能に組み付けられた断面略コ字状の可動枠とで構成され、上記所定範囲において、上記横固定枠及び可動枠のうち何れか一方の枠における上下方向の少なくとも中央よりも下端側が、何れか他方の枠の内部空間内に常に収容されるようになっているため、建物開口に装着されたスクリーン装置を正面から見たときに目に付きやすいガイド枠の下端部のデザインがよりシンプルで意匠性に優れ、構造的にも強固なスクリーン装置を提供することができる。
【発明を実施するための最良の形態】
【００１１】
以下に、図面を参照しながら本発明に係るスクリーン装置の実施例について説明する。ただし、以下の実施例においては、スクリーンとして巻取り式の防虫網を採用した例について示すが、該スクリーンは、巻取り式に限られることなく、折り返しにより多数の襞が形成されたプリーツ状であっても良く、また、その用途についても、防虫に限られることなく、遮光、目隠しまたは断熱等を目的とするものであっても良い。
【００１２】
図１〜図３に示すようにスクリーン装置Ｓは、水平方向に延びる面から成り互いに対向する上横枠２及び下横枠３と、垂直方向に延びる面から成り互いに対向する左縦枠４及び右縦枠５とにより包囲されて形成された建物開口１に、横引き式に装着するためのものであって、下面１２ａ上に長尺かつ直線状の上側ガイドレール２０を備えていて、上記上横枠２に取り付けられるガイド枠１０と、上記左縦枠４及び／または右縦枠５に取り付けられる縦固定枠１５と、長尺かつ直線状で上記下横枠３に取り付けられる下側ガイドレール２５と、一対の框部材３１，３２、スクリーン４０及び一対のスライド枠４５ａ，４５ｂを備えた装置本体３０とにより構成されている。
【００１３】
上記装置本体３０において、上記一対の框部材３１，３２は、上記左右縦枠４，５間に互いに略平行に直立配置されていて、その間隔が可変となっており、これら一対の框部材３１，３２間に上記スクリーン４０が支持され、その間隔を変えることにより該スクリーン４０を拡張及び収縮させることが可能となっている。また、上記一対のスライド枠４５ａ，４５ｂは、該スクリーン４０の収縮に伴って、それぞれ上下方向に湾曲して框部材３１の内部３１ｅへと収容され、逆に、スクリーン４０の拡張に伴って、該框部材３１の内部３１ｅからガイド枠１０の下面１２ａ上及び下横枠３上へと、拡張されたスクリーン４０の上下各端縁部に沿って直線的に導出されると共に、上記各ガイドレール２０，２５に対して摺動自在に係合するようになっている。
【００１４】
上記ガイド枠１０は、上記上横枠２上に直接固定するためのもので、スクリーン装置Ｓを装着する建物開口の高さ（すなわち、左右縦枠４，５の高さ）の違いに適応させるために、その下面１２ａは上下方向の所定範囲で変位可能となっていて（図４及び図５参照）、該下面１２ａ上に上記上側ガイドレール２０が長手方向に沿って固定的に設けられている。上記縦固定枠１５は、上記左右縦枠４，５のうちスライド可能な框部材３２側に配置される縦枠５に対して直接固定され、スクリーン４０を閉じた際にこの框部材３２を保持して閉状態を維持するためのものである。さらに、上記下側ガイドレール２５は、上記下横枠３上における上記上側ガイドレール２０と対向する位置に直接固定するためのものである。
【００１５】
上記一対のスライド枠４５ａ，４５ｂはそれぞれ、多数のガイド駒４６を互いに隣接するガイド駒４６，４６間において屈曲可能に連結することにより、湾曲可能に形成されている。該スライド枠４５ａ，４５ｂにおけるスクリーン４０側に配置された面には、ガイド枠１０の下面１２ａ上及び下横枠３上へと導出された際に上記スクリーン４０の上下各端縁部をその両面側から摺動自在に支持するガイド部４７が、長手方向に沿って形成されており、その一方で、該スライド枠４５ａ，４５ｂにおけるスクリーン４０とは反対側に配置された面には、同じくガイド枠１０の下面１２ａ上及び下横枠３上へと導出された際に上記各ガイドレール２０，２５と摺動自在に凹凸係合する係合部４８が、長手方向に沿って形成されている。
【００１６】
このように、上記スクリーン装置Ｓにおいては、上下方向に変位可能な下面１２ａを備えていて、該下面１２ａ上に長尺の上側ガイドレール２０が設けられて成るガイド枠１０と、長尺の下側ガイドレール２５とが、建物開口１の上横枠２上及び下横枠３上にそれぞれ固定的に配置され、スクリーン４０の拡張に伴って、框部材３１の内部３１ｅからガイド枠１０の下面１２ａ上及び下横枠３上へと直線的に導出された一対のスライド枠４５ａ，４５ｂの係合部４８がそれぞれ、上下各ガイドレール２０，２５に対して摺動自在に凹凸係合するように構成されているため、框部材３１の内部３１ｅから導出されたスライド枠４５ａ，４５ｂはそれぞれ、上記ガイド枠１０の下面１２ａ上及び下横枠３上において安定的に支持及びガイドされ、その結果、スクリーン装置Ｓの開閉操作時に、これら一対のスライド枠４５ａ，４５ｂをそれぞれ、上記ガイド枠１０の下面１２ａ上及び下横枠３上と、上記框部材３１の内部３１ｅとの間でスムーズに出没動作させることができ、該スクリーン装置Ｓの良好な操作性を確保することが可能となる。
【００１７】
また、それに加えて、上記スクリーン装置Ｓにおいては、拡張されたスクリーン４０の上下各端縁部がそれぞれ、スライド枠４５ａ，４５ｂのガイド部４７によってその両面側から挟むように支持されるため、スクリーン装置Ｓの開閉操作時には、上記スクリーン４０の上下各端縁部が上記ガイド部４７により摺動自在にガイドされて、該スクリーン４０をスムーズに拡縮させることができ、そして、スクリーン４０が拡張されて建物開口１が閉じられた状態では、風等による該スクリーン４０の面方向への揺れが上記ガイド部４７によって抑制され、しかも、上記各スライド枠４５ａ，４５ｂと上記スクリーン４０の上下各端縁部及び上記各ガイドレール２０，２５との間に不要な隙間が形成されないことから、これらの部分を通じて虫等が室内に侵入するのを阻止することもできる。
【００１８】
なお、図１に示す本実施例の上記スクリーン装置Ｓにおいては、上記一対の框部材のうち左側に配置されたものを固定框部材３１として左縦枠４に固定し、右側に配置されたものを可動框部材３２として横方向にスライド可能にしているが、場合によっては、右側に配置されたものを固定框部材として右縦枠５に固定し、左側に配置されたものを可動框部材としてスライド可能にしても良く、さらに、双方を可動框部材としてスライド可能としても良い。また、上記一対のスライド枠４５ａ，４５ｂについても、本実施例においては、固定框部材３１の内部に収容するようにしているが、可動框部材３２の内部に収容するようにしても良く、特に上記スクリーン４０がプリーツ状に形成されている場合などには、双方の框部材３１，３２の内部に収容できるようにしても良い。
【００１９】
そこで本実施例についてさらに具体的に説明すると、まず、上記ガイド枠１０は、上記建物開口１の上横枠２とほぼ同じ長さに形成され、該上横枠２上に固定するための横固定枠１１と、上記上側ガイドレール２０が設けられた下面１２ａを有し、該横固定枠１１に対して上下方向の所定範囲で変位可能に組み付けられた可動枠１２とから構成されている。上記横固定枠１１は、上記上横枠２に当接させてネジ等の固定部材で固定される上壁１１ａと、該上壁１１ａによって上端部が連結され、略平行を成して対向する一対の側壁１１ｂ，１１ｂとにより、下端が開口する断面略コ字状に形成されており、その一方で、上記可動枠１２は、上記下面１２ａを形成する下壁１２ｂと、該下壁１２ｂによって下端部が連結され、略平行を成して対向する一対の側壁１２ｃ，１２ｃとにより、上端が開口する断面略コ字状に形成されている。
【００２０】
そして、図４及び図５に示すように、上記可動枠１２は、その全体が横固定枠１１の内部空間内に常に収容された状態で、該横固定枠１１に対して変位可能となっている。すなわち、該可動枠１２は、上記所定範囲の上端から下端に至る何れの変位位置においても、その上側ガイドレール２０を含む全体が、横固定枠１１における一対の側壁１１ｂ，１１ｂの下端を結ぶ開口面よりも内側に形成された空間内に常に収容された状態となっており、図１に示すように、スクリーン装置Ｓを正面から見たとき、可動枠１２の変位位置に関わらず、その全体が横固定枠１１の側壁１１ｂによって常に覆い隠されるようになっている。また、同時に、可動框部材３２の上端部も、可動枠１２の変位位置に関わらず、横固定枠１１の下端開口からその内部空間に常に収容されていて、該横固定枠１１の一対の側壁１１ｂ，１１ｂにより両側から支持及びガイドされるようになっている。
なお、本実施例において、横固定枠１１の上壁１１ａの幅及び側壁１１ｂの高さはそれぞれ、可動枠１２の下壁の幅及び側壁１２ｃの高さの約２倍となっている。そして、上記上側ガイドレール２０は、上記可動枠１２の下面１２ａにおける幅方向の略中央に配設されている。
【００２１】
このように、可動枠１２全体が、横固定枠１１に対して変位可能な所定範囲の全域において、常に該横固定枠１１の内部空間内に収容され該横固定枠１１の側壁１１ｂで覆い隠されるように構成されているため、建物開口１に装着したスクリーン装置Ｓを正面から見たときに目に付きやすいガイド枠１０の下端部のデザインを、よりシンプルで意匠性に優れたものとすることができる。
また、同時に、上側ガイドレール２０を含む可動枠１２全体が常に横固定枠１１により覆われて支持され、しかも、可動框部材３２の上端部が常に横固定枠１１により支持及びガイドされるように構成されているため、上側ガイドレール２０の外部からの変形や損傷を防止したり、可動框部材３２の不必要な遊びを無くすことができる等、スクリーン装置Ｓを構造的にもより強固なものとすることができる。
そして、横固定枠１１の下端の開口から可動枠１２が突出しないため、それぞれ高さの異なる複数の建物開口１にスクリーン装置Ｓを装着した場合であっても、装着した建物開口１によって横固定枠１１からの可動枠１２の突出幅が異なってしまうようなこともない。
さらに、可動枠１２が横固定枠１１に対して上下方向に変位可能であるため、建物開口１の上横枠２及び下横枠３にそれぞれ固定されたガイド枠１０及び下側ガイドレール２５に対して装置本体３０を着脱するにあたっても、その着脱作業をよりスムーズに行うことが可能となる。
【００２２】
上記ガイド枠１０には、上記所定範囲の下端を規定し、可動枠１２が横固定枠１１に対して該所定範囲よりも下方に変位するのを阻止するためのストッパ手段が設けられている。該ストッパ手段は、上記横固定枠１１における一対の側壁１１ｂ，１１ｂの内面からそれぞれ突設された一対のストッパ突片１１ｃ，１１ｃと、上記可動枠１２における一対の側壁１２ｃ，１２ｃの外面からそれぞれ突設された一対の係合突片１２ｄ，１２ｄとにより構成されており、上記所定範囲の下端において上記係合突片１２ｄ，１２ｄが上記ストッパ突片１１ｃ，１１ｃに対し上方からそれぞれ当接し係合するようになっている（図５参照）。その一方で、上記所定範囲の上端は横固定枠１１の上壁１１ａ内面により規定されていて、可動枠１２の側壁１２ｃ，１２ｃの上端部が該上壁１１ａ内面に当接することにより、可動枠１２の上方への変位が阻止されるようになっている（図４参照）。
ここで、上記ストッパ突片１１ｃ，１１ｃは、上記横固定枠１１の側壁１１ｂ，１１ｂ内面の略中央から互いに対向するように水平かつ一体に突設されていて、先端が可動枠１２の側壁１２ｃ，１２ｃの外面に沿って上向きに略直角に屈曲している。そして、上記係合突片１２ｄ，１２ｄは、上記可動枠１２の側壁１２ｃ，１２ｃ上端部の外面からやや斜め下方に向けて一体に突設されている。さらに、上記可動枠１２の側壁１２ｃ，１２ｃの上端部は、上記係合突片１２ｄから連続して、内側に向けてやや斜め上方に屈曲されている。
【００２３】
また、上記ガイド枠１０内には複数の弾性支持部材１３が縮設されていて、該可動枠１２が変位可能な上記所定範囲の全域において該弾性支持部材１３により下方に弾発されており、同時に、装置本体３０の上縁すなわち上側スライド枠４５ａが該可動枠１２によって弾性支持されるようになっている。そうすることで、上側ガイドレール２０と上側スライド枠４５ａとの凹凸係合をより確実なものとし、該スライド枠４５ａの出没動作をよりスムーズなものとすることができる。
上記弾性支持部材１３は、略Ｌ字状に屈折された板バネによって形成されている。そして、図１に示すように、該板バネ１３は圧縮されてバネ力を蓄積した状態で、その一端が固定端としてガイド枠１０端部のキャップ１４にネジ等の固定部材で固定されると共に、その屈曲部分及び自由端としての他端が、それぞれ上記横固定枠１１の上壁１１ａの内面及び可動枠１２の下壁１２ｂの内面に摺動自在に当接されている。
ここで、上記キャップ１４は、上記ガイド枠１０の軸方向両端の開口にそれぞれ嵌合されていて、これら開口をそれぞれ閉塞すると共に、該ガイド枠１０の長さと建物開口１の幅との違いによって生じる隙間を解消することができるようになっている。
なお、上記弾性支持部材１３は上記板バネに限られることなく、コイルバネ等であっても良い。
【００２４】
上記固定框部材３１は、長尺かつ中空の棒状に形成されており、スクリーン４０側に配置されて上記可動框部材３２と対向する第１側壁３１ａと、該第１側壁３１ａと対向してスクリーン４０とは反対側に配置され、上記左縦枠４に対向させて配置される第２側壁３１ｂと、これら第１側壁３１ａ及び第２側壁３１ｂと略直角に配置されて互いに対向し、建物の開口面と略平行を成す第３側壁３１ｃ及び第４側壁３１ｄとを有している。
そして、該固定框部材３１は、上記第３及び第４側壁３１ｃ，３１ｄ上における上記第２側壁３１ｂ側端部に配設されたレバー３６を上下方向にスライドさせて、該レバーと一体を成して上記第２側壁３１ｂの外面上に設けられた舌片（図示略）を、上記左縦枠４上にネジ等の固定部材で固定されたフック（図示略）に係脱させることにより、該左縦枠４に対して着脱可能となっている。
なお、上記固定框部材３１の左縦枠４に対する取り付けは、上述のものに限られることなく、単にネジ等の固定部材により上記第２側壁３１ｂを直接左縦枠４に固定しても良い。
【００２５】
上記第１側壁３１ａの上下各端部には、固定框部材３１の内部３１ｅへと通じていて、上記一対のスライド枠４５ａ，４５ｂを出没させるための上側入出口３３ａ及び下側入出口３３ｂがそれぞれ開設されている。また、該第１側壁３１ａの外面側には、スクリーン４０の左端縁部を係止するためのスクリーン係止部３５が、長手方向に沿って設けられている。上記第３側壁３１ｃには、固定框部材３１の内部３１ｅへと通じる作業用開口３４ａが開設されており、該作業用開口３４ａは、着脱可能な蓋部３４によって開閉可能となっている。そのため、スクリーン装置Ｓが建物開口１に装着された状態でも、該スクリーン装置Ｓにおける上記第１側壁３１ａが配置された建物の開口面側から、蓋部３４を取り外し、作業用開口３４ａを通じて固定框部材３１の内部３１ｅへと容易にアクセスすることができるようになっている。
【００２６】
一方、上記可動框部材３２も長尺かつ中空の棒状に形成されており、その内部には、上記スクリーン４０を捲回するための巻取り軸４１が、該框部材３２の縦軸廻りに回動可能に支持されている。そして、該巻取り軸４１には、上記スクリーン４０の右端縁部が係止されていて、該可動框部材３２を左右方向に往復スライドさせることにより、スクリーン４０を、該巻取り軸４１に巻き取って収縮させ、または、該巻取り軸４１から繰り出して拡張させることができるようになっている。ここで、上記巻取り軸４１には、コイルスプリングによる自動巻取り機構４２が内蔵されていて、上記スクリーン４０が巻取り軸４１から繰り出された際に、該コイルスプリングに戻りの回転付勢力が蓄積されるようになっており、その回転付勢力が蓄積されたコイルスプリングを駆動源として、上記スクリーン４０を該巻取り軸４１に巻き取ることができるようになっている。また、該可動框部材３２におけるスクリーン４０とは反対側に位置して上記右縦枠５と対向する側面には、マグネット３７ａを備えた凸部３７が上下方向に沿って設けられている。
【００２７】
上記縦固定枠１５は、可動框部材３２と略同じ長さで、その凸部３７と略同じ開口幅を有する断面略コ字状に形成されており、可動框部材３２側を開口させて上記右縦枠５上にネジ等の固定部材により固定されている。そして、該縦固定枠１５の底面には、上記可動框部材３２のマグネット３７ａに対応する位置に、磁性材料から成るマグネット受け１６が設けられている。したがって、可動框部材３２を右方向へスライドさせてスクリーン４０を巻取り軸４１から繰り出した際に、該可動框部材３２の凸部３７を縦固定枠１５に嵌め込んでマグネット受け１６にマグネット３７ａを吸着させることにより、上記自動巻取り機構４２のコイルスプリングに蓄積された戻りの回転付勢力に抗して、スクリーン４０による建物開口１の閉状態を保持することができる。
【００２８】
上記上下一対のスライド枠４５ａ，４５ｂはそれぞれ、硬質の樹脂で一体成形された複数のガイド駒４６を、それらのスクリーン４０側の両端部にそれぞれ可撓性を有する２本の連結ワイヤー４９，４９を摺動自在に貫通させて、一列に連結することにより形成されている。このとき、上記複数のガイド駒４６は、スライド枠４５ａ，４５ｂが直線状態にあるときに、互いに隣接するガイド駒４６の端面同士がほぼ隙間無く当接するように連結されているが、スライド枠４５ａ，４５ｂが固定框部材３１の内部３１ｅに収容される際にスムーズに湾曲することができる程度の余裕を持たせてある。上記連結ワイヤー４９，４９としては、多数本の金属細線を撚ったもの等、長さ方向の力に対して伸び難くて、湾曲に対して直線状態に戻ろうとする反発弾性を有するものが適している。ただし、上記ガイド駒４６を連結するための手段は、上記連結ワイヤー４９に限られるものではなく、可撓性を有する一枚のテープ状体であっても良く、また、互いに隣接するガイド駒４６，４６同士を折曲可能な薄肉部で一体に連結しても良い。
【００２９】
そして、上記上下各スライド枠４５ａ，４５ｂはそれぞれ、その一端が、固定端として上記可動框部材３２の上下端に固定されると共に、その他端が、自由端として上記固定框部材３１の上下各入出口３３ａ，３３ｂを通じて該固定框部材３１の内部３１ｅに配置されており、可動框部材３２の往復スライドに伴って、上記上下各入出口３３ａ，３３ｂを通じて上記スクリーン４０の上下各端縁部と固定框部材３１の内部３１ｅとの間で出没可能となっている。すなわち、これらスライド枠４５ａ，４５ｂはそれぞれ、可動框部材３２を左方向にスライドさせてスクリーン４０を上記巻取り軸４１に巻き取るスクリーンの収縮時には、上記各入出口３３ａ，３３ｂから湾曲して固定框部材３１の軸に沿ってその内部３１ｅに収容され、逆に、可動框部材３２を右方向にスライドさせてスクリーン４０を上記巻取り軸４１から繰り出すスクリーンの拡張時には、該固定框部材３１の内部３１ｅから上記各入出口３３ａ，３３ｂを通じて、スクリーン４０の上下両端縁部に沿って直線的に導出されるようになっている。
【００３０】
上記ガイド駒４６は、軸方向に肉抜きされた略六面体に形成されていて、そのスクリーン４０側の両角隅部には、上記連結ワイヤー４９，４９を挿通させるための孔が軸方向に貫設されており、また、そのスクリーン４０側の面の略中央には、肉抜きされた内部空間へと通じるスリットが軸方向に開設され、上記スライド枠４５ａ，４５ｂのガイド部４７を形成している。その一方で、上記スクリーン４０の上下各端縁部には、上記スリット状のガイド部４７の幅よりも幅広に形成されたファスナー状の係合子４３が略全長にわたって設けられている。そうすることにより、拡張に伴って巻取り軸４１から繰り出されたスクリーン４０の上下各端縁部が、同時に固定框部材３１から導出されたスライド枠４５ａ，４５ｂの内部空間に上記係合子４３を位置させた状態で、上記スリット状のガイド部４７に挿通されるようになっている。
【００３１】
上記ガイド駒４６におけるスクリーン４０とは反対側の面には、開口幅が内方向に張り出す一対の爪部により狭められた凹溝が軸方向に設けられており、上記スライド枠４５ａ，４５ｂの係合部４８を形成している。その一方で、上記上側ガイドレール２０は、上記可動枠１２における下壁１２ｂの下面１２ａ上に一体に凸設されており、上記下側ガイドレール２５は、上記下横枠３上に適宜の手段で固定されて凸設されている。そして、これらガイドレール２０，２５は、それらの先端部に両外方向に張り出す一対の鍔部を有していて、該先端部が基部よりも幅広に形成されている。ここで、上記上下各ガイドレール２０，２５の基部の幅は、それぞれ対応するスライド枠４５ａ，４５ｂにおける係合部４８の開口幅よりも小さく形成されており、また、該上下各ガイドレール２０，２５の先端部の幅は、係合部４８の開口幅よりも大きく、かつ該係合部４８の溝幅よりも小さく形成されている。
【００３２】
そうすることにより、スクリーン４０の拡張に伴って、上記固定框部材３１の内部３１ｅから上記可動枠１２の下面１２ａ上及び下横枠３上に導出された各スライド枠４５ａ，４５ｂの係合部４８対し、上下各ガイドレール２０，２５が、その鍔部と係合部４８の爪部とを係合させた状態で挿通され、両者が摺動自在に凹凸係合するようになっている。
そのため、可動枠１２の下面１２ａ上及び下横枠３上において、各スライド枠４５ａ，４５ｂがスクリーン４０側へ凸状に湾曲するのを阻止されて略直線状に保持され、上側スライド枠４５ａが上側ガイドレール２０から垂れ下がったり、下側スライド枠４５ｂが下側ガイドレール２５から浮き上がったりすることがない。
なお、このような上記スライド枠４５ａ，４５ｂの湾曲を制限する手段は、上述のものに限られることなく、例えば、ガイド駒４６自体に屈曲方向を制限するストッパ部を設けて、互いに隣接するガイド駒４６，４６間におけるストッパ部同士の当接によりスライド枠４５ａ，４５ｂの湾曲方向が制限されるようにし、上記上下各ガイドレール２０，２５の鍔部及びスライド枠４５ａ，４５ｂの係合部４８の爪部を省略するなどしても良い。
【００３３】
また、図示を省略するが、上記上下各ガイドレール２０，２５の先端部の幅は、固定框部材３１の上下各入出口３３ａ，３３ｂが配置される位置近傍において、上下各スライド枠４５ａ，４５ｂの係合部４８の開口幅よりも幅狭に形成されている。そのため、上下各スライド枠４５ａ，４５ｂを固定框部材３１の上下各入出口３３ａ，３３ｂを通じて出没動作させる際や、建物開口１の上横枠２及び下横枠３にそれぞれ固定されたガイド枠１０及び下側ガイドレール２５に対して装置本体３０を着脱する際に、当該位置において、上下各スライド枠４５ａ，４５ｂの係合部４８を、上記上下各ガイドレール２０，２５に対してスムーズに係脱させることができる。
【００３４】
さらに、当該スクリーン装置Ｓにおいては、上記一対のスライド枠４５ａ，４５ｂの出没動作を互いに同期させることにより、スクリーン装置Ｓの開閉操作時に上記固定框部材３１に対する上記可動框部材３２の平行状態を維持するためのワイヤー部材３８が、上記上下各スライド枠４５ａ，４５ｂの自由端を形成する端部駒４６ａにそれぞれ着脱自在に固定されて架設されている。該ワイヤー部材３８は、可撓性を有する組み紐等から成っていて、固定框部材３１の内部３１ｅにおける上記各スライド枠４５ａ，４５ｂよりも上記作業用開口３４ａ側の領域でループを成しており、上記各スライド枠４５ａ，４５ｂの端部駒４６ａ同士を連結している。なお、上記ワイヤー部材３８によるループは、図１に示すように、上記作業用開口３４ａの上側開口端及び下側開口端の近傍に配設された一対の折返し部３８ａ，３８ａにより折り返されて、互いに交差しないＯ字状に形成されている。
このように、ワイヤー部材３８が、固定框部材３１の内部３１ｅにおける上記各スライド枠４５ａ，４５ｂよりも上記作業用開口３４ａ側の領域において、該作業用開口３４ａから全体が露出するように架け廻されているため、スクリーン装置Ｓを建物開口１に装着したままの状態でも、ワイヤー部材３８の架け外しや張力の調整等の作業を、スクリーン装置Ｓの開口面側から上記作業用開口３４ａを通じて容易に行うことができる。
【００３５】
図６は、本発明の第２実施例に係るスクリーン装置Ｓにおけるガイド枠１０の概略的な横断面図を示している。
なお、ここでは、上記実施例に係るスクリーン装置Ｓとは異なる構成部分及びその作用効果について説明することとし、その他の共通する構成部分及びそれによる作用効果については、重複を避けるために図示及び説明を省略する。
【００３６】
本第２実施例の上記ガイド枠１０においては、横固定枠１１と可動枠１２との収容関係が上記実施例とは逆になっていて、可動枠１２が横固定枠１１よりも幅広に形成されており、該可動枠１２が変位可能な所定範囲において、該横固定枠１１の上下方向の少なくとも中央よりも下端側が、該可動枠１２の内部空間内に常に収容されているようになっている。すなわち、該横固定枠１１は、可動枠１２が上記所定範囲の上端から下端に至る何れの位置に変位したとしても、その上下方向の少なくとも中央よりも下端側が、可動枠１２における一対の側壁１２ｃ，１２ｃの上端を結ぶ開口面よりも内側に形成されたの空間内に常に収容された状態となっている。そして、スクリーン装置Ｓを正面から見たとき、可動枠１２の変位位置に関わらず、横固定枠１１の上下方向の少なくとも中央よりも下端側が、該可動枠１２の側壁１２ｃによって常に覆い隠されるようになっている。
そのため、建物開口１に装着したスクリーン装置Ｓを正面から見たときに目に付きやすいガイド枠１０の下端部のデザインを、よりシンプルで意匠性に優れたものとすることができる。また、同時に、横固定枠１１における上下方向の少なくとも半分以上が常に可動枠１２により覆われているように構成されているため、スクリーン装置Ｓを構造的にもより強固なものとすることができる。
【００３７】
本第２実施例においては、上記ストッパ手段が、上記横固定枠１１における一対の側壁１１ｂ，１１ｂの外面からそれぞれ突設された一対のストッパ突片１１ｃ，１１ｃと、上記可動枠１２における一対の側壁１２ｃ，１２ｃの内面からそれぞれ突設された一対の係合突片１２ｄ，１２ｄとにより構成されており、同じく、上記所定範囲の下端において上記係合突片１２ｄ，１２ｄが上記ストッパ突片１１ｃ，１１ｃに対し上方からそれぞれ当接し係合するようになっている（図６中の実線参照）。その一方で、上記所定範囲の上端は上横枠２により規定されていて、可動枠１２の側壁１２ｃ，１２ｃの上端部が該上横枠２に当接することにより、可動枠１２の上方への変位が阻止されるようになっている（図６中の二点鎖線参照）。
ここで、上記ストッパ突片１１ｃ，１１ｃは、上記横固定枠１１の側壁１１ｂ，１１ｂ外面における略中央よりも上方からそれぞれ突設されており、上記係合突片１２ｄ，１２ｄは、上記可動枠１２の側壁１２ｃ，１２ｃ内面における上端部から突設されている。
【図面の簡単な説明】
【００３８】
【図１】本発明の実施例に係るスクリーン装置Ｓを、固定框部材３１の蓋部３４を取り外して建物開口１に装着した状態を示す部分破断正面図である。
【図２】図１における蓋部３４を装着した状態でのＡ−Ａ断面図である。
【図３】図１におけるＢ−Ｂ断面図である。
【図４】可動枠１２が変位可能な所定範囲の上端まで変位した状態を示す図１におけるＡ−Ａ断面図である。
【図５】可動枠１２が変位可能な所定範囲の下端まで変位した状態を示す図１におけるＡ−Ａ断面図である。
【図６】本発明の第２実施例に係るスクリーン装置Ｓにおけるガイド枠１０の概略的な横断面図である。
【図７】従来技術の部分破断正面図である。
【図８】図７におけるＣ−Ｃ断面図である。
【符号の説明】
【００３９】
Ｓ            スクリーン装置
１            建物開口
２            上横枠
３            下横枠
４            左縦枠  
５            右縦枠
１０          ガイド枠
１１          固定枠
１１ａ        上壁
１１ｂ        側壁
１１ｃ        ストッパ突片
１２          可動枠
１２ａ        下面
１２ｂ        下壁
１２ｃ        側壁
１２ｄ        係合突片  
１３          板バネ（弾性支持部材）
２０          上側ガイドレール
２５          下側ガイドレール
３０          装置本体
３１          固定框部材
３１ｅ        内部  
３２          可動框部材
３３ａ        上側入出口
３３ｂ        下側入出口  
４０          スクリーン  
４１          巻取り軸
４５ａ        上側スライド枠
４５ｂ        下側スライド枠
４６          ガイド駒
４７          スリット状ガイド部
４８          凹溝状係合部
【図１】
0004732906.tif 000002
【図２】
0004732906.tif 000003
【図３】
0004732906.tif 000004
【図４】
0004732906.tif 000005
【図５】
0004732906.tif 000006
【図６】
0004732906.tif 000007
【図７】
0004732906.tif 000008
【図８】
0004732906.tif 000009